(57)【要約】  ランダムアクセス方法及び装置であって、当該方法は、端末装置がネットワーク装置に第１メッセージを送信し、当該第１メッセージはランダムアクセスプリアンブル及びアップリンク情報を含み、当該ランダムアクセスプリアンブルは時間領域において少なくとも１つの第１シンボルを占有し、当該アップリンク情報は時間領域において少なくとも１つの第２シンボルを占有し、１つの第１シンボルは１つの第１サイクリックプレフィックス（ＣＰ）及び少なくとも１つの第１情報セグメントを含み、１つの第２シンボルは１つの第２ＣＰ及び少なくとも１つの第２情報セグメントを含むことを含む。本願の実施例に係るランダムアクセス方法及び装置はランダムアクセス過程のシグナリングオーバーヘッドを削減することができる。
2021533606.tif 000002
【特許請求の範囲】
【請求項１】
ランダムアクセス方法であって、
端末装置がネットワーク装置に第１メッセージを送信し、前記第１メッセージはランダムアクセスプリアンブル及びアップリンク情報を含み、前記ランダムアクセスプリアンブルは時間領域において少なくとも１つの第１シンボルを占有し、前記アップリンク情報は時間領域において少なくとも１つの第２シンボルを占有し、１つの第１シンボルは１つの第１サイクリックプレフィックス（ＣＰ）及び少なくとも１つの第１情報セグメントを含み、１つの第２シンボルは１つの第２ＣＰ及び少なくとも１つの第２情報セグメントを含むことを含むことを特徴とするランダムアクセス方法。
【請求項２】
前記少なくとも１つの第２シンボルのうちの各シンボルは、１つの前記第２ＣＰ及び複数の同じ前記第２情報セグメントを含むことを特徴とする請求項１に記載の方法。
【請求項３】
前記第２シンボルにおける前記第２情報セグメントの数は、前記第１シンボルにおける前記第１情報セグメントの数に基づいて決定され、又は
前記第２シンボルにおける前記第２情報セグメントの数は、前記ランダムアクセスプリアンブルの識別子に基づいて決定され、又は
前記第２シンボルにおける前記第２情報セグメントの数は、前記ランダムアクセスプリアンブルに対応するフォーマットに基づいて決定され、又は
前記第２シンボルにおける前記第２情報セグメントの数は、標準で予め設定され又は前記ネットワーク装置によって予め設定され、又は
前記第２シンボルにおける前記第２情報セグメントの数は、前記アップリンク情報の符号レート、前記アップリンク情報の変調及び符号化方式（ＭＣＳ）、及び前記アップリンク情報の周波数領域リソース量のうちの少なくとも１つに基づいて決定されることを特徴とする請求項１又は２に記載の方法。
【請求項４】
前記第２シンボルにおける前記第２情報セグメントの数は、前記第１シンボルにおける前記第１情報セグメントの数に基づいて決定され、
前記第２情報セグメントの数と前記第１情報セグメントの数との比は第１プリセット値であり、又は
前記第２情報セグメントの数と前記第１情報セグメントの数との差は第２プリセット値であることを特徴とする請求項３に記載の方法。
【請求項５】
前記アップリンク情報が時間領域において占有する前記第２シンボルの数は、前記ランダムアクセスプリアンブルが時間領域において占有する前記第１シンボルの数に基づいて決定され、又は
前記アップリンク情報が時間領域において占有する前記第２シンボルの数は、前記ランダムアクセスプリアンブルの識別子に基づいて決定され、又は
前記アップリンク情報が時間領域において占有する前記第２シンボルの数は、前記ランダムアクセスプリアンブルに対応するフォーマットに基づいて決定され、又は
前記アップリンク情報が時間領域において占有する前記第２シンボルの数は、標準で予め設定され又はネットワーク装置によって予め設定され、又は
前記アップリンク情報が時間領域において占有する前記第２シンボルの数は、前記アップリンク情報の符号レート、前記アップリンク情報の変調及び符号化方式（ＭＣＳ）、及び前記アップリンク情報の周波数領域リソース量のうちの少なくとも１つに基づいて決定されることを特徴とする請求項１〜４のいずれか１項に記載の方法。
【請求項６】
前記アップリンク情報が時間領域において占有する前記第２シンボルの数は、前記ランダムアクセスプリアンブルが時間領域において占有する前記第１シンボルの数に基づいて決定され、
前記第２シンボルの数と前記第１シンボルの数との比は第３プリセット値であり、又は
前記第２シンボルの数と前記第１シンボルの数との差は第４プリセット値であることを特徴とする請求項５に記載の方法。
【請求項７】
前記第１ＣＰと前記第２ＣＰの長さは同じであることを特徴とする請求項１〜６のいずれか１項に記載の方法。
【請求項８】
前記第１ＣＰの長さは前記第２ＣＰの長さより大きいことを特徴とする請求項１〜６のいずれか１項に記載の方法。
【請求項９】
前記方法は更に、
前記端末装置が複数のランダムアクセス伝送フォーマットからランダムアクセス伝送フォーマットを決定し、異なるランダムアクセス伝送フォーマットは、前記第１ＣＰの長さ、前記アップリンク情報が時間領域において占有する前記第２シンボルの数、前記第１シンボルにおける前記第１情報セグメントの数、及び前記第２シンボルにおける前記第２情報セグメントの数のうちの少なくとも１つが異なることを含み、
端末装置がネットワーク装置に第１メッセージを送信することは、
前記端末装置が、決定された前記ランダムアクセス伝送フォーマットに基づいて、前記ネットワーク装置に前記第１メッセージを送信することを含むことを特徴とする請求項１〜８のいずれか１項に記載の方法。
【請求項１０】
前記端末装置が今回で第１メッセージを送信するために使用するランダムアクセス伝送フォーマットは、前の少なくとも１回で第１メッセージを送信するために使用するランダムアクセス伝送フォーマットと異なり、
異なるランダムアクセス伝送フォーマットは、前記第１ＣＰの長さ、前記アップリンク情報が時間領域において占有する前記第２シンボルの数、前記第１シンボルにおける前記第１情報セグメントの数、及び前記第２シンボルにおける前記第２情報セグメントの数のうちの少なくとも１つが異なることを特徴とする請求項１〜９のいずれか１項に記載の方法。
【請求項１１】
前記ランダムアクセスプリアンブルのサブキャリア間隔と前記アップリンク情報のサブキャリア間隔は同じであることを特徴とする請求項１〜１０のいずれか１項に記載の方法。
【請求項１２】
前記アップリンク情報は、前記端末装置の識別子、前記ＰＲＡＣＨの送信をトリガーするイベントが属するカテゴリ、スケジューリング要求（ＳＲ）、バッファステータスレポート（ＢＳＲ）及びサービスデータのうちの少なくとも１つを含むことを特徴とする請求項１〜１１のいずれか１項に記載の方法。
【請求項１３】
ランダムアクセス方法であって、
ネットワーク装置が端末装置から送信された第１メッセージを受信し、前記第１メッセージはランダムアクセスプリアンブル及びアップリンク情報を含み、前記ランダムアクセスプリアンブルは時間領域において少なくとも１つの第１シンボルを占有し、前記アップリンク情報は時間領域において少なくとも１つの第２シンボルを占有し、１つの第１シンボルは１つの第１サイクリックプレフィックス（ＣＰ）及び少なくとも１つの第１情報セグメントを含み、１つの第２シンボルは１つの第２ＣＰ及び少なくとも１つの第２情報セグメントを含むことを含むことを特徴とするランダムアクセス方法。
【請求項１４】
前記少なくとも１つの第２シンボルのうちの各シンボルは、１つの前記第２ＣＰ及び複数の同じ前記第２情報セグメントを含むことを特徴とする請求項１３に記載の方法。
【請求項１５】
前記第２シンボルにおける前記第２情報セグメントの数は、前記第１シンボルにおける前記第１情報セグメントの数に基づいて決定され、又は
前記第２シンボルにおける前記第２情報セグメントの数は、前記ランダムアクセスプリアンブルの識別子に基づいて決定され、又は
前記第２シンボルにおける前記第２情報セグメントの数は、前記ランダムアクセスプリアンブルに対応するフォーマットに基づいて決定され、又は
前記第２シンボルにおける前記第２情報セグメントの数は、前記アップリンク情報の符号レート、前記アップリンク情報の変調及び符号化方式（ＭＣＳ）、及び前記アップリンク情報の周波数領域リソース量のうちの少なくとも１つに基づいて決定されることを特徴とする請求項１３又は１４に記載の方法。
【請求項１６】
前記第２シンボルにおける前記第２情報セグメントの数は、前記第１シンボルにおける前記第１情報セグメントの数に基づいて決定され、
前記第２情報セグメントの数と前記第１情報セグメントの数との比は第１プリセット値であり、又は
前記第２情報セグメントの数と前記第１情報セグメントの数との差は第２プリセット値であることを特徴とする請求項１５に記載の方法。
【請求項１７】
前記アップリンク情報が時間領域において占有する前記第２シンボルの数は、前記ランダムアクセスプリアンブルが時間領域において占有する前記第１シンボルの数に基づいて決定され、又は
前記アップリンク情報が時間領域において占有する前記第２シンボルの数は、前記ランダムアクセスプリアンブルの識別子に基づいて決定され、又は
前記アップリンク情報が時間領域において占有する前記第２シンボルの数は、前記アップリンク情報の符号レート、前記アップリンク情報の変調及び符号化方式（ＭＣＳ）、及び前記アップリンク情報の周波数領域リソース量のうちの少なくとも１つに基づいて決定されることを特徴とする請求項１３〜１６のいずれか１項に記載の方法。
【請求項１８】
前記アップリンク情報が時間領域において占有する前記第２シンボルの数は、前記ランダムアクセスプリアンブルが時間領域において占有する前記第１シンボルの数に基づいて決定され、
前記第２シンボルの数と前記第１シンボルの数との比は第３プリセット値であり、又は
前記第２シンボルの数と前記第１シンボルの数との差は第４プリセット値であることを特徴とする請求項１７に記載の方法。
【請求項１９】
前記第１ＣＰと前記第２ＣＰの長さは同じであることを特徴とする請求項１３〜１８のいずれか１項に記載の方法。
【請求項２０】
前記第１ＣＰの長さは前記第２ＣＰの長さより大きいことを特徴とする請求項１３〜１８のいずれか１項に記載の方法。
【請求項２１】
前記方法は更に、
前記ネットワーク装置が複数のランダムアクセス伝送フォーマットからランダムアクセス伝送フォーマットを決定し、異なるランダムアクセス伝送フォーマットは、前記第１ＣＰの長さ、前記アップリンク情報が時間領域において占有する前記第２シンボルの数、前記第１シンボルにおける前記第１情報セグメントの数、及び前記第２シンボルにおける前記第２情報セグメントの数のうちの少なくとも１つが異なることと、
前記ネットワーク装置が、決定された前記ランダムアクセス伝送フォーマットを含む設定情報を前記端末装置に送信することと、を含むことを特徴とする請求項１３〜２０のいずれか１項に記載の方法。
【請求項２２】
前記ランダムアクセスプリアンブルのサブキャリア間隔と前記アップリンク情報のサブキャリア間隔は同じであることを特徴とする請求項１３〜２１のいずれか１項に記載の方法。
【請求項２３】
前記アップリンク情報は、前記端末装置の識別子、前記ＰＲＡＣＨの送信をトリガーするイベントが属するカテゴリ、スケジューリング要求（ＳＲ）、バッファステータスレポート（ＢＳＲ）及びサービスデータのうちの少なくとも１つを含むことを特徴とする請求項１３〜２２のいずれか１項に記載の方法。
【請求項２４】
端末装置であって、通信ユニットを備え、
前記通信ユニットは、ネットワーク装置に第１メッセージを送信することに用いられ、前記第１メッセージはランダムアクセスプリアンブル及びアップリンク情報を含み、前記ランダムアクセスプリアンブルは時間領域において少なくとも１つの第１シンボルを占有し、前記アップリンク情報は時間領域において少なくとも１つの第２シンボルを占有し、１つの第１シンボルは１つの第１サイクリックプレフィックス（ＣＰ）及び少なくとも１つの第１情報セグメントを含み、１つの第２シンボルは１つの第２ＣＰ及び少なくとも１つの第２情報セグメントを含むことを特徴とする端末装置。
【請求項２５】
前記少なくとも１つの第２シンボルのうちの各シンボルは、１つの前記第２ＣＰ及び複数の同じ前記第２情報セグメントを含むことを特徴とする請求項２４に記載の端末装置。
【請求項２６】
前記第２シンボルにおける前記第２情報セグメントの数は、前記第１シンボルにおける前記第１情報セグメントの数に基づいて決定され、又は
前記第２シンボルにおける前記第２情報セグメントの数は、前記ランダムアクセスプリアンブルの識別子に基づいて決定され、又は
前記第２シンボルにおける前記第２情報セグメントの数は、前記ランダムアクセスプリアンブルに対応するフォーマットに基づいて決定され、又は
前記第２シンボルにおける前記第２情報セグメントの数は、標準で予め設定され又は前記ネットワーク装置によって予め設定され、又は
前記第２シンボルにおける前記第２情報セグメントの数は、前記アップリンク情報の符号レート、前記アップリンク情報の変調及び符号化方式（ＭＣＳ）、及び前記アップリンク情報の周波数領域リソース量のうちの少なくとも１つに基づいて決定されることを特徴とする請求項２４又は２５に記載の端末装置。
【請求項２７】
前記第２シンボルにおける前記第２情報セグメントの数は、前記第１シンボルにおける前記第１情報セグメントの数に基づいて決定され、
前記第２情報セグメントの数と前記第１情報セグメントの数との比は第１プリセット値であり、又は
前記第２情報セグメントの数と前記第１情報セグメントの数との差は第２プリセット値であることを特徴とする請求項２６に記載の端末装置。
【請求項２８】
前記アップリンク情報が時間領域において占有する前記第２シンボルの数は、前記ランダムアクセスプリアンブルが時間領域において占有する前記第１シンボルの数に基づいて決定され、又は
前記アップリンク情報が時間領域において占有する前記第２シンボルの数は、前記ランダムアクセスプリアンブルの識別子に基づいて決定され、又は
前記アップリンク情報が時間領域において占有する前記第２シンボルの数は、前記ランダムアクセスプリアンブルに対応するフォーマットに基づいて決定され、又は
前記アップリンク情報が時間領域において占有する前記第２シンボルの数は、標準で予め設定され又はネットワーク装置によって予め設定され、又は
前記アップリンク情報が時間領域において占有する前記第２シンボルの数は、前記アップリンク情報の符号レート、前記アップリンク情報の変調及び符号化方式（ＭＣＳ）、及び前記アップリンク情報の周波数領域リソース量のうちの少なくとも１つに基づいて決定されることを特徴とする請求項２４〜２７のいずれか１項に記載の端末装置。
【請求項２９】
前記アップリンク情報が時間領域において占有する前記第２シンボルの数は、前記ランダムアクセスプリアンブルが時間領域において占有する前記第１シンボルの数に基づいて決定され、
前記第２シンボルの数と前記第１シンボルの数との比は第３プリセット値であり、又は
前記第２シンボルの数と前記第１シンボルの数との差は第４プリセット値であることを特徴とする請求項２８に記載の端末装置。
【請求項３０】
前記第１ＣＰと前記第２ＣＰの長さは同じであることを特徴とする請求項２４〜２９のいずれか１項に記載の端末装置。
【請求項３１】
前記第１ＣＰの長さは前記第２ＣＰの長さより大きいことを特徴とする請求項２４〜２９のいずれか１項に記載の端末装置。
【請求項３２】
処理ユニットを更に備え、
前記処理ユニットは、複数のランダムアクセス伝送フォーマットからランダムアクセス伝送フォーマットを決定することに用いられ、異なるランダムアクセス伝送フォーマットは、前記第１ＣＰの長さ、前記アップリンク情報が時間領域において占有する前記第２シンボルの数、前記第１シンボルにおける前記第１情報セグメントの数、及び前記第２シンボルにおける前記第２情報セグメントの数のうちの少なくとも１つは異なり、
前記通信ユニットは更に、
決定された前記ランダムアクセス伝送フォーマットに基づいて、前記ネットワーク装置に前記第１メッセージを送信することに用いられることを特徴とする請求項２４〜３１のいずれか１項に記載の端末装置。
【請求項３３】
今回で第１メッセージを送信するために使用するランダムアクセス伝送フォーマットは、前の少なくとも１回で第１メッセージを送信するために使用するランダムアクセス伝送フォーマットと異なり、
異なるランダムアクセス伝送フォーマットは、前記第１ＣＰの長さ、前記アップリンク情報が時間領域において占有する前記第２シンボルの数、前記第１シンボルにおける前記第１情報セグメントの数、及び前記第２シンボルにおける前記第２情報セグメントの数のうちの少なくとも１つが異なることを特徴とする請求項２４〜３２のいずれか１項に記載の端末装置。
【請求項３４】
前記ランダムアクセスプリアンブルのサブキャリア間隔と前記アップリンク情報のサブキャリア間隔は同じであることを特徴とする請求項２４〜３３のいずれか１項に記載の端末装置。
【請求項３５】
前記アップリンク情報は、前記端末装置の識別子、前記ＰＲＡＣＨの送信をトリガーするイベントが属するカテゴリ、スケジューリング要求（ＳＲ）、バッファステータスレポート（ＢＳＲ）及びサービスデータのうちの少なくとも１つを含むことを特徴とする請求項２４〜３４のいずれか１項に記載の端末装置。
【請求項３６】
ネットワーク装置であって、通信ユニットを備え、
前記通信ユニットは、端末装置から送信された第１メッセージを受信することに用いられ、前記第１メッセージはランダムアクセスプリアンブル及びアップリンク情報を含み、前記ランダムアクセスプリアンブルは時間領域において少なくとも１つの第１シンボルを占有し、前記アップリンク情報は時間領域において少なくとも１つの第２シンボルを占有し、１つの第１シンボルは１つの第１サイクリックプレフィックス（ＣＰ）及び少なくとも１つの第１情報セグメントを含み、１つの第２シンボルは１つの第２ＣＰ及び少なくとも１つの第２情報セグメントを含むことを特徴とするネットワーク装置。
【請求項３７】
前記少なくとも１つの第２シンボルのうちの各シンボルは、１つの前記第２ＣＰ及び複数の同じ前記第２情報セグメントを含むことを特徴とする請求項３６に記載のネットワーク装置。
【請求項３８】
前記第２シンボルにおける前記第２情報セグメントの数は、前記第１シンボルにおける前記第１情報セグメントの数に基づいて決定され、又は
前記第２シンボルにおける前記第２情報セグメントの数は、前記ランダムアクセスプリアンブルの識別子に基づいて決定され、又は
前記第２シンボルにおける前記第２情報セグメントの数は、前記ランダムアクセスプリアンブルに対応するフォーマットに基づいて決定され、又は
前記第２シンボルにおける前記第２情報セグメントの数は、前記アップリンク情報の符号レート、前記アップリンク情報の変調及び符号化方式（ＭＣＳ）、及び前記アップリンク情報の周波数領域リソース量のうちの少なくとも１つに基づいて決定されることを特徴とする請求項３６又は３７に記載のネットワーク装置。
【請求項３９】
前記第２シンボルにおける前記第２情報セグメントの数は、前記第１シンボルにおける前記第１情報セグメントの数に基づいて決定され、
前記第２情報セグメントの数と前記第１情報セグメントの数との比は第１プリセット値であり、又は
前記第２情報セグメントの数と前記第１情報セグメントの数との差は第２プリセット値であることを特徴とする請求項３８に記載のネットワーク装置。
【請求項４０】
前記アップリンク情報が時間領域において占有する前記第２シンボルの数は、前記ランダムアクセスプリアンブルが時間領域において占有する前記第１シンボルの数に基づいて決定され、又は
前記アップリンク情報が時間領域において占有する前記第２シンボルの数は、前記ランダムアクセスプリアンブルの識別子に基づいて決定され、又は
前記アップリンク情報が時間領域において占有する前記第２シンボルの数は、前記ランダムアクセスプリアンブルに対応するフォーマットに基づいて決定され、又は
前記アップリンク情報が時間領域において占有する前記第２シンボルの数は、前記アップリンク情報の符号レート、前記アップリンク情報の変調及び符号化方式（ＭＣＳ）、及び前記アップリンク情報の周波数領域リソース量のうちの少なくとも１つに基づいて決定されることを特徴とする請求項３６〜３９のいずれか１項に記載のネットワーク装置。
【請求項４１】
前記アップリンク情報が時間領域において占有する前記第２シンボルの数は、前記ランダムアクセスプリアンブルが時間領域において占有する前記第１シンボルの数に基づいて決定され、
前記第２シンボルの数と前記第１シンボルの数との比は第３プリセット値であり、又は
前記第２シンボルの数と前記第１シンボルの数との差は第４プリセット値であることを特徴とする請求項４０に記載のネットワーク装置。
【請求項４２】
前記第１ＣＰと前記第２ＣＰの長さは同じであることを特徴とする請求項３６〜４１のいずれか１項に記載のネットワーク装置。
【請求項４３】
前記第１ＣＰの長さは前記第２ＣＰの長さより大きいことを特徴とする請求項３６〜４１のいずれか１項に記載のネットワーク装置。
【請求項４４】
処理ユニットを更に備え、
前記処理ユニットは、複数のランダムアクセス伝送フォーマットからランダムアクセス伝送フォーマットを決定することに用いられ、異なるランダムアクセス伝送フォーマットは、前記第１ＣＰの長さ、前記アップリンク情報が時間領域において占有する前記第２シンボルの数、前記第１シンボルにおける前記第１情報セグメントの数、及び前記第２シンボルにおける前記第２情報セグメントの数のうちの少なくとも１つは異なり、
前記通信ユニットは更に、
決定された前記ランダムアクセス伝送フォーマットを含む設定情報を前記端末装置に送信することに用いられることを特徴とする請求項３６〜４３のいずれか１項に記載のネットワーク装置。
【請求項４５】
前記ランダムアクセスプリアンブルのサブキャリア間隔と前記アップリンク情報のサブキャリア間隔は同じであることを特徴とする請求項３６〜４４のいずれか１項に記載のネットワーク装置。
【請求項４６】
前記アップリンク情報は、前記端末装置の識別子、前記ＰＲＡＣＨの送信をトリガーするイベントが属するカテゴリ、スケジューリング要求（ＳＲ）、バッファステータスレポート（ＢＳＲ）及びサービスデータのうちの少なくとも１つを含むことを特徴とする請求項３６〜４５のいずれか１項に記載のネットワーク装置。
【請求項４７】
端末装置であって、プロセッサとメモリを備え、前記メモリはコンピュータプログラムを記憶することに用いられ、前記プロセッサは前記メモリに記憶されるコンピュータプログラムを呼び出して実行して、請求項１〜１２のいずれか１項に記載の方法を実行することに用いられることを特徴とする端末装置。
【請求項４８】
ネットワーク装置であって、プロセッサとメモリを備え、前記メモリはコンピュータプログラムを記憶することに用いられ、前記プロセッサは前記メモリに記憶されるコンピュータプログラムを呼び出して実行して、請求項１３〜２３のいずれか１項に記載の方法を実行することに用いられることを特徴とするネットワーク装置。
【請求項４９】
チップであって、メモリからコンピュータプログラムを呼び出して実行することで、前記チップが取り付けられる装置に請求項１〜１２のいずれか１項に記載の方法を実行させることに用いられるプロセッサを備えることを特徴とするチップ。
【請求項５０】
チップであって、メモリからコンピュータプログラムを呼び出して実行することで、前記チップが取り付けられる装置に請求項１３〜２３のいずれか１項に記載の方法を実行させることに用いられるプロセッサを備えることを特徴とするチップ。
【請求項５１】
コンピュータに請求項１〜１２のいずれか１項に記載の方法を実行させるコンピュータプログラムを記憶することに用いられることを特徴とするコンピュータ可読記憶媒体。
【請求項５２】
コンピュータに請求項１３〜２３のいずれか１項に記載の方法を実行させるコンピュータプログラムを記憶することに用いられることを特徴とするコンピュータ可読記憶媒体。
【請求項５３】
コンピュータに請求項１〜１２のいずれか１項に記載の方法を実行させるコンピュータプログラム命令を含むことを特徴とするコンピュータプログラム製品。
【請求項５４】
コンピュータに請求項１３〜２３のいずれか１項に記載の方法を実行させるコンピュータプログラム命令を含むことを特徴とするコンピュータプログラム製品。
【請求項５５】
コンピュータに請求項１〜１２のいずれか１項に記載の方法を実行させることを特徴とするコンピュータプログラム。
【請求項５６】
コンピュータに請求項１３〜２３のいずれか１項に記載の方法を実行させることを特徴とするコンピュータプログラム。
【発明の詳細な説明】
【技術分野】
【０００１】
本願の実施例は通信技術分野に関し、具体的にランダムアクセス方法及び装置に関する。
【背景技術】
【０００２】
ランダムアクセスはセルラーシステムの最も基本的な機能であり、端末装置とネットワーク装置との通信接続の確立を可能にする。新無線（ＮＲ、Ｎｅｗ  Ｒａｄｉｏ）システム（５Ｇシステム、５Ｇネットワークとも呼ばれる）では、ロングタームエボリューション（ＬＴＥ、Ｌｏｎｇ  Ｔｅｒｍ  Ｅｖｏｌｕｔｉｏｎ）と類似する４ステップのランダムアクセス過程が用いられているが、従来の４ステップのランダムアクセス過程のシグナリングオーバーヘッドは大きい。
【０００３】
従って、如何にランダムアクセス過程のシグナリングオーバーヘッドを削減するかは急務となっている。
【発明の概要】
【発明が解決しようとする課題】
【０００４】
本願の実施例はランダムアクセス方法及び装置を提供し、ランダムアクセス過程のシグナリングオーバーヘッドを削減することができる。
【課題を解決するための手段】
【０００５】
第１態様ではランダムアクセス方法を提供し、
端末装置がネットワーク装置に第１メッセージを送信し、当該第１メッセージはランダムアクセスプリアンブル及びアップリンク情報を含み、当該ランダムアクセスプリアンブルは時間領域において少なくとも１つの第１シンボルを占有し、当該ＰＵＳＣＨは時間領域において少なくとも１つの第２シンボルを占有し、１つの第１シンボルは１つの第１サイクリックプレフィックス（ＣＰ）及び少なくとも１つの第１情報セグメントを含み、１つの第２シンボルは１つの第２ＣＰ及び少なくとも１つの第２情報セグメントを含むことを含む。
【０００６】
第２態様ではランダムアクセス方法を提供し、
ネットワーク装置が端末装置から送信された第１メッセージを受信し、当該第１メッセージはランダムアクセスプリアンブル及びアップリンク情報を含み、当該ランダムアクセスプリアンブルは時間領域において少なくとも１つの第１シンボルを占有し、当該ＰＵＳＣＨは時間領域において少なくとも１つの第２シンボルを占有し、１つの第１シンボルは１つの第１サイクリックプレフィックス（ＣＰ）及び少なくとも１つの第１情報セグメントを含み、１つの第２シンボルは１つの第２ＣＰ及び少なくとも１つの第２情報セグメントを含むことを含む。
【０００７】
第３態様では上記第１態様又はその各実施形態の方法を実行することに用いられる端末装置を提供する。
【０００８】
具体的に、当該端末装置は上記第１態様又はその各実施形態の方法を実行することに用いられる機能モジュールを備える。
【０００９】
第４態様では上記第２態様又はその各実施形態の方法を実行することに用いられるネットワーク装置を提供する。
【００１０】
具体的に、当該ネットワーク装置は上記第２態様又はその各実施形態の方法を実行することに用いられる機能モジュールを備える。
【００１１】
第５態様ではプロセッサとメモリを備える端末装置を提供する。当該メモリはコンピュータプログラムを記憶することに用いられ、当該プロセッサは当該メモリに記憶されるコンピュータプログラムを呼び出して実行して、上記第１態様又はその各実施形態の方法を実行することに用いられる。
【００１２】
第６態様ではプロセッサとメモリを備えるネットワーク装置を提供する。当該メモリはコンピュータプログラムを記憶することに用いられ、当該プロセッサは当該メモリに記憶されるコンピュータプログラムを呼び出して実行して、上記第２態様又はその各実施形態の方法を実行することに用いられる。
【００１３】
第７態様では上記第１態様〜第２態様のいずれか１つ又はその各実施形態の方法を実現することに用いられるチップを提供する。
【００１４】
具体的に、当該チップは、メモリからコンピュータプログラムを呼び出して実行することで、当該チップが取り付けられる装置に上記第１態様〜第２態様のいずれか１つ又はその各実施形態の方法を実行させることに用いられるプロセッサを備える。
【００１５】
第８態様では、コンピュータに上記第１態様〜第２態様のいずれか１つ又はその各実施形態の方法を実行させるコンピュータプログラムを記憶することに用いられるコンピュータ可読記憶媒体を提供する。
【００１６】
第９態様では、コンピュータに上記第１態様〜第２態様のいずれか１つ又はその各実施形態の方法を実行させるコンピュータプログラム命令を含むコンピュータプログラム製品を提供する。
【００１７】
第１０態様では、コンピュータ上で実行されると、コンピュータに上記第１態様〜第２態様のいずれか１つ又はその各実施形態の方法を実行させるコンピュータプログラムを提供する。
【発明の効果】
【００１８】
上記技術案によれば、ランダムアクセス過程では、端末装置からネットワーク装置に送信される同一のメッセージは、ランダムアクセスプリアンブル及びＰＵＳＣＨを含むことができる。２つのシグナリングを使用してネットワーク装置にランダムアクセスプリアンブル及びＰＵＳＣＨを送信することを回避し、それにより、ランダムアクセス過程のシグナリングオーバーヘッドを削減することができる。
【図面の簡単な説明】
【００１９】
【図１】図１は本願の実施例による通信システムアーキテクチャの模式図である。
【図２】図２は本願の実施例による４ステップのランダムアクセス方法の模式的なフローチャートである。
【図３】図３は本願の実施例による２ステップのランダムアクセス方法の模式的なフローチャートである。
【図４】図４は本願の実施例によるランダムアクセス方法の模式的なフローチャートである。
【図５】図５は本願の実施例による複数のランダムアクセス伝送フォーマットの模式図である。
【図６】図６は本願の実施例による端末装置の模式的なブロック図である。
【図７】図７は本願の実施例によるネットワーク装置の模式的なブロック図である。
【図８】図８は本願の実施例による通信装置の模式的なブロック図である。
【図９】図９は本願の実施例によるチップの模式的なブロック図である。
【図１０】図１０は本願の実施例による通信システムの模式的なブロック図である。
【発明を実施するための形態】
【００２０】
以下、本願の実施例の図面を参照しながら、本願の実施例の技術案を説明する。勿論、説明される実施例は本願の一部の実施例に過ぎず、全部の実施例ではない。本願の実施例に基づいて、当業者が創造的な労働を必要とせずに取得するすべての他の実施例は、いずれも本願の保護範囲に属する。
【００２１】
本願の実施例の技術案は、例えば、グローバル移動通信（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ＬＴＥ、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）システム、ロングタームエボリューションアドバンスト（ＬＴＥ−Ａ、Ａｄｖａｎｃｅｄ  ｌｏｎｇ  ｔｅｒｍ  ｅｖｏｌｕｔｉｏｎ）システム、ＮＲシステム、ＮＲシステムの進化型システム、無認可スペクトルにおけるＬＴＥ（ＬＴＥ−Ｕ、ＬＴＥ−ｂａｓｅｄ  ａｃｃｅｓｓ  ｔｏ  ｕｎｌｉｃｅｎｓｅｄ  ｓｐｅｃｔｒｕｍ）システム、無認可スペクトルにおけるＮＲ（ＮＲ−Ｕ、ＮＲ−ｂａｓｅｄ  ａｃｃｅｓｓ  ｔｏ  ｕｎｌｉｃｅｎｓｅｄ  ｓｐｅｃｔｒｕｍ）システム、ユニバーサル移動通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワールドワイド・インターオペラビリティ・フォー・マイクロウェーブ・アクセス（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、無線ローカルエリアネットワーク（ＷＬＡＮ、Ｗｉｒｅｌｅｓｓ  Ｌｏｃａｌ  Ａｒｅａ  Ｎｅｔｗｏｒｋｓ）、ワイヤレスフィディリティ（ＷｉＦｉ、Ｗｉｒｅｌｅｓｓ  Ｆｉｄｅｌｉｔｙ）、次世代通信システム又は他の通信システム等の様々な通信システムに適用できる。
【００２２】
例示的に、本願の実施例に適用される通信システム１００は図１に示される。当該通信システム１００はネットワーク装置１１０を備えてもよく、ネットワーク装置１１０は端末装置１２０（又は通信端末、端末と呼ばれる）と通信する装置であってもよい。ネットワーク装置１１０は特定の地理的領域に通信カバレッジを提供でき、且つ当該カバレッジ領域内に位置する端末装置と通信できる。選択肢として、当該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、ＬＴＥシステムにおける進化型基地局（Ｅｖｏｌｕｔｉｏｎａｌ  Ｎｏｄｅ  Ｂ、ｅＮＢ又はｅＮｏｄｅＢ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線コントローラであってもよい。又は当該ネットワーク装置は移動通信交換局、中継局、アクセスポイント、車載装置、ウェアラブル装置、ハブ、交換機、ブリッジ、ルータ、５Ｇネットワークにおけるネットワーク側装置又は将来の進化型公衆陸上移動体ネットワーク（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００２３】
当該通信システム１００は更にネットワーク装置１１０のカバレッジ範囲内に位置する少なくとも１つの端末装置１２０を備える。ここで使用される「端末装置」は、有線回線を介して接続され、例えば、公衆交換電話網（ＰＳＴＮ、Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ、Ｄｉｇｉｔａｌ  Ｓｕｂｓｃｒｉｂｅｒ  Ｌｉｎｅ）、デジタルケーブル、直接ケーブル接続、及び／又は他のデータ接続／ネットワークを介して接続された装置、及び／又は無線インタフェース、例えば、セルラーネットワーク、無線ローカルエリアネットワーク（ＷＬＡＮ、Ｗｉｒｅｌｅｓｓ  Ｌｏｃａｌ  Ａｒｅａ  Ｎｅｔｗｏｒｋ）、ＤＶＢ−Ｈネットワーク等のデジタルテレビネットワーク、衛星ネットワーク、ＡＭ−ＦＭ放送送信機を介して接続された装置、及び／又は他の端末装置の、通信信号を送受信するように設定される装置、及び／又はモノのインターネット（ＩｏＴ、Ｉｎｔｅｒｎｅｔ  ｏｆ  Ｔｈｉｎｇｓ）装置を含むが、それらには限らない。無線インタフェースを介して通信するように設定される端末装置は「無線通信端末」、「無線端末」又は「移動端末」と称されてもよい。移動端末の例は衛星又はセルラー方式の電話、セルラー無線電話とデータ処理、ファックス、及びデータ通信能力を組み合わせることのできる個人通信システム（ＰＣＳ、Ｐｅｒｓｏｎａｌ  Ｃｏｍｍｕｎｉｃａｔｉｏｎｓ  Ｓｙｓｔｅｍ）端末、無線電話、ポケットベル、インターネット／イントラネットアクセス、Ｗｅｂブラウザ、メモ帳、カレンダー及び／又は全地球測位システム（ＧＰＳ、Ｇｌｏｂａｌ  Ｐｏｓｉｔｉｏｎｉｎｇ  Ｓｙｓｔｅｍ）受信機を備えることのできるＰＤＡ、及び通常のラップトップタイプ及び／又はパームトップタイプの受信機、又は無線電話送受信機を備える他の電子装置を含むが、それらには限らない。端末装置とはアクセス端末、ユーザ装置（ＵＥ、Ｕｓｅｒ  Ｅｑｕｉｐｍｅｎｔ）、加入者ユニット、加入者局、移動局、トラバーサー、遠隔局、遠隔端末、モバイルデバイス、ユーザ端末、端末、無線通信装置、ユーザエージェント、又はユーザデバイスを指してもよい。アクセス端末はセルラー方式の電話、コードレス電話、セッション開始プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を備えるハンドヘルド装置、計算装置又は無線モデムに接続される他の処理装置、車載装置、ウェアラブル装置、５Ｇネットワークにおける端末装置又は将来進化するＰＬＭＮにおける端末装置等であってもよい。
【００２４】
選択肢として、端末装置１２０の間は端末ダイレクト（Ｄ２Ｄ、Ｄｅｖｉｃｅ  ｔｏ  Ｄｅｖｉｃｅ）通信を行うことができる。
【００２５】
図１は１つのネットワーク装置及び２つの端末装置を例示する。選択肢として、当該通信システム１００は複数のネットワーク装置を備えてもよく、各ネットワーク装置のカバレッジ範囲内には他の数の端末装置が含まれてもよく、本願の実施例はこれを限定しない。
【００２６】
選択肢として、当該通信システム１００はネットワークコントローラ、モビリティ管理エンティティ等の他のネットワークエンティティを備えてもよく、本願の実施例はこれを限定しない。
【００２７】
理解されるように、本願の実施例では、ネットワーク／システムにおける通信機能を有する装置は通信装置と呼ばれてもよい。図１に示される通信システム１００を例として、通信装置は通信機能を有するネットワーク装置１１０及び端末装置１２０を含んでもよく、ネットワーク装置１１０及び端末装置１２０は上記の具体的な装置であってもよく、ここで繰り返して説明しない。通信装置は通信システム１００の他の装置、例えばネットワークコントローラ、モビリティ管理エンティティ等の他のネットワークエンティティを更に含んでもよく、本願の実施例はこれを限定しない。
【００２８】
本願の実施例の技術案を容易に理解するために、以下、図２及び図３を参照して、競合に基づく４ステップのランダムアクセス過程及び２ステップのランダムアクセス過程を説明する。
【００２９】
なお、本願の実施例は競合に基づくランダムアクセスを例として説明するためのものに過ぎず、本願はこれに限定されず、本願の実施例は非競合に基づくランダムアクセスにも適用できる。
【００３０】
図２は４ステップのランダムアクセス方法の模式的なフローチャートである。
【００３１】
２１０では、端末装置はランダムアクセスチャネルにおいてネットワーク装置にランダムアクセスプリアンブル（Ｐｒｅａｍｂｌｅ、即ちＭＳＧ１、ｍｅｓｓａｇｅ１）を送信する。
【００３２】
２２０では、ネットワーク装置は端末装置から送信されたアクセスプリアンブルを検出すると、端末装置にランダムアクセス応答（ＲＡＲ、Ｒａｎｄｏｍ  Ａｃｃｅｓｓ  Ｒｅｓｐｏｎｓｅ、即ちＭＳＧ２、ｍｅｓｓａｇｅ２）を送信して、メッセージ３（ＭＳＧ３、ｍｅｓｓａｇｅ３）の送信時に使用可能なアップリンクリソース情報を端末装置に知らせる。
【００３３】
ＲＡＲには、タイムアライメント（ＴＡ、Ｔｉｍｅ  Ａｌｉｇｎｍｅｎｔ）情報及び一時的な無線ネットワーク一時識別子（ＲＮＴＩ、Ｒａｄｉｏ  Ｎｅｔｗｏｒｋ  Ｔｅｍｐｏｒａｒｙ  Ｉｄｅｎｔｉｆｉｅｒ）が含まれてもよい。
【００３４】
選択肢として、ＭＳＧ２メッセージはネットワーク装置の媒体アクセス制御（ＭＡＣ、Ｍｅｄｉａ  Ａｃｃｅｓｓ  Ｃｏｎｔｒｏｌ）層によって生成され得る。１つのＭＳＧ２メッセージは同時に複数の端末装置のランダムアクセス要求応答に対応できる。
【００３５】
２３０では、端末装置はＭＳＧ２を受信すると、自体のＲＡＲメッセージに属するか否かを判断し、自体のＲＡＲメッセージに属すると判断する場合、ＭＳＧ２が指定したアップリンクリソースにおいてメッセージ３（ＭＳＧ３、ｍｅｓｓａｇｅ３）を送信し、当該ＭＳＧ３には端末装置の特定の一時識別子情報が含まれる。
【００３６】
２４０では、ネットワーク装置はＭＳＧ３メッセージを受信すると、端末装置にメッセージ４（ＭＳＧ４、ｍｅｓｓａｇｅ４）を送信できる。当該ＭＳＧ４には、競合解決メッセージ及びネットワーク装置が端末装置に割り当てたアップリンク伝送リソースが含まれる。
【００３７】
端末装置はＭＳＧ４を受信すると、ＭＳＧ３において送信された特定の一時識別子情報が、ネットワーク装置から送信された競合解決メッセージに含まれるか否かを検出する。含まれる場合は、端末装置のランダムアクセス過程が成功したことを示し、含まれない場合は、ランダムアクセス過程が失敗したことを示し、端末装置は第１ステップからランダムアクセス過程を再び開始する必要がある。
【００３８】
選択肢として、ＭＳＧ４はネットワーク装置の無線リソース制御（Ｒａｄｉｏ  Ｒｅｓｏｕｒｃｅ  Ｃｏｎｔｒｏｌ）層によって生成され得る。
【００３９】
４ステップのランダムアクセス過程は遅延が大きく、５Ｇの低遅延及び高信頼性のシーンには適しない。低遅延及び高信頼性に関連するサービスの特徴を考慮すると、２ステップのランダムアクセス過程の解決手段が提案された。２ステップのランダムアクセス過程では、簡単に言うと、４ステップのランダムアクセス過程の第１ステップと第３ステップを２ステップのランダムアクセス過程の第１ステップとして合併し、４ステップのランダムアクセス過程の第２ステップと第４ステップを２ステップのランダムアクセス過程の第２ステップとして合併することに相当する。
【００４０】
図３は本願の実施例に係る２ステップのランダムアクセス過程の模式図である。
【００４１】
３１０では、端末装置はネットワーク装置にＭＳＧ１を送信する。当該ＭＳＧ１には、Ｐｒｅａｍｂｌｅ及び物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）が含まれる。ＰＵＳＣＨには端末装置の特定の識別子情報が含まれ得る。
【００４２】
３２０では、ネットワーク装置は端末装置にランダムアクセス応答ＭＳＧ２を送信する。当該ＭＳＧ２には、ＴＡ情報、一時ＲＮＴＩ、及び競合解決メッセージが含まれ得る。競合解決メッセージには端末装置の識別子情報が含まれ得る。
【００４３】
理解されるように、図３に示される方法３００は２ステップのランダムアクセス過程の具体的な実施形態に過ぎず、本願の保護範囲を限定すべきではない。
【００４４】
図４は本願の実施例に係るランダムアクセス方法４００の模式的なフローチャートであり、当該方法は端末装置によって実行されてもよく、方法３００における３１０に適用できる。当該方法４００は以下の内容のうちの少なくとも一部を含む。
【００４５】
４１０では、端末装置はネットワーク装置に第１メッセージを送信し、当該第１メッセージはＰｒｅａｍｂｌｅを搬送するアップリンクシンボル及びアップリンク情報を搬送するアップリンクシンボルを含んでもよい。当該４１０は方法３００における３１０に対応できる。
【００４６】
４２０では、ネットワーク装置は端末装置から送信された当該第１メッセージを受信する。当該４２０は方法３００における３２０に対応できる。
【００４７】
第１メッセージが、Ｐｒｅａｍｂｌｅを搬送するアップリンクシンボル及びアップリンク情報を搬送するアップリンクシンボルを含むことは、第１メッセージがＰｒｅａｍｂｌｅ及びアップリンク情報を含むと理解できる。
【００４８】
理解されるように、アップリンク情報を搬送するアップリンクシンボルはＰＵＳＣＨであってもよく、ＰＵＣＣＨであってもよく、又はアップリンク情報の伝送に用いることができる他のアップリンクチャネル又はアップリンク基準信号であってもよく、本願はこれを限定しない。
【００４９】
説明を容易にするために、本願の実施例では、アップリンク情報を搬送するアップリンクシンボルがＰＵＳＣＨであることを例として説明する。理解されるように、矛盾しない限り、以下のＰＵＳＣＨを、アップリンク情報を搬送する他のアップリンクチャネル又は基準信号、例えばＰＵＣＣＨに直接に置き換えることができる。
【００５０】
Ｐｒｅａｍｂｌｅは時間領域において少なくとも１つの第１シンボルを占有し、ＰＵＳＣＨは時間領域において少なくとも１つの第２シンボルを占有し、１つの第１シンボルは１つの第１サイクリックプレフィックス（ＣＰ、Ｃｙｃｌｉｃ  Ｐｒｅｆｉｘ）及び少なくとも１つの第１情報セグメントを含み、１つの第２シンボルは１つの第２ＣＰ及び少なくとも１つの第２情報セグメントを含む。
【００５１】
選択肢として、本願の実施例では、第１シンボルのうちの各シンボルは少なくとも１つの第１ＣＰ及び複数の同じ第１情報セグメントを含んでもよい。第１ＣＰの数は第１情報セグメントの数未満である。選択肢として、第１シンボルのうちの各シンボルは１つの第１ＣＰ及び複数の同じ情報セグメントを含んでもよい。
【００５２】
同様に、第２シンボルのうちの各シンボルは少なくとも１つの第２ＣＰ及び複数の同じ第２情報セグメントを含んでもよい。第２ＣＰの数は第２情報セグメントの数未満である。選択肢として、第２シンボルのうちの各シンボルは１つの第２ＣＰ及び複数の同じ第２情報セグメントを含んでもよい。
【００５３】
ＣＰの数は情報セグメントの数未満であり、このように、ＰＵＳＣＨ伝送過程でのＣＰオーバーヘッドを節約することができる。
【００５４】
理解されるように、第１メッセージがＰｒｅａｍｂｌｅ及びＰＵＳＣＨを含むことは、端末装置によるネットワーク装置へのＰｒｅａｍｂｌｅの送信とＰＵＳＣＨの送信との間に、ネットワーク装置と端末装置との間に他のメッセージがなく、及び／又は、ネットワーク装置がＰｒｅａｍｂｌｅ及びＰＵＳＣＨに対して同時に端末装置にランダムアクセス応答を送信できると理解できる。
【００５５】
選択肢として、本願の実施例では、同じ情報セグメントは、情報セグメントにおける内容が同じで、且つ情報セグメントの表現形態が同じであることを示すことができる。すなわち、各第１シンボルにおける第１情報セグメントは少なくとも１回繰り返すことができ、各第２シンボルにおける第２情報セグメントは少なくとも１回繰り返すことができる。
【００５６】
選択肢として、ＰｒｅａｍｂｌｅとＰＵＳＣＨは周波数分割多重され（ＦＤＭ、Ｆｒｅｑｕｅｎｃｙ  Ｄｉｖｉｓｉｏｎ  Ｍｕｌｔｉｐｌｅｘｉｎｇ）又は時分割多重される（ＴＤＭ、Ｔｉｍｅ  Ｄｉｖｉｓｉｏｎ  Ｍｕｌｔｉｐｌｅｘｉｎｇ）。
【００５７】
本願の実施例では、第１シンボルと第２シンボルは複数の位置関係を有してもよく、本願の実施例はこれを具体的に限定しない。
【００５８】
選択肢として、第１シンボルと第２シンボルは時間領域において隣接してもよく、隣接しなくてもよい。
【００５９】
例えば、第１シンボルは時間領域において第２シンボルの前にあってもよい。
【００６０】
例えば、第１シンボルは時間領域において第２シンボルの後にあってもよい。
【００６１】
理解されるように、本願の実施例では、第１シンボルと第２シンボルとの前後関係は論理的関係を示し、第１シンボルと第２シンボルとの間に他のシンボルがあってもよく、このとき、第１シンボルと第２シンボルは隣接しない。
【００６２】
選択肢として、第１シンボルと第２シンボルは、時間領域位置が同じであってもよく、周波数領域位置が異なる。
【００６３】
選択肢として、ＰＵＳＣＨでは、異なるシンボルに含まれるＣＰの数及び／又は情報セグメントの数は同じであってもよく、異なってもよい。
【００６４】
例えば、ＰＵＳＣＨの１番目のシンボルは１つのＣＰ及び２つの同じ情報セグメントを含み、２番目のシンボルは１つのＣＰ及び３つの同じ情報セグメントを含む。
【００６５】
また例えば、ＰＵＳＣＨの１番目のシンボルは２つのＣＰ及び２つの同じ情報セグメントを含み、２番目のシンボルは１つのＣＰ及び２つの同じ情報セグメントを含む。
【００６６】
また例えば、ＰＵＳＣＨの１番目のシンボルは２つのＣＰ及び２つの同じ情報セグメントを含み、２番目のシンボルは２つのＣＰ及び２つの同じ情報セグメントを含む。
【００６７】
理解されるように、本明細書の用語「及び／又は」は、関連対象の関連関係を説明するためのものに過ぎず、３つの関係が存在することを示す。例えば、Ａ及び／又はＢは、Ａが単独で存在すること、ＡとＢが同時に存在すること、Ｂが単独で存在することの３つの状況を示す。
【００６８】
なお、ＰＵＳＣＨが複数のシンボルを含む場合、各シンボルにおいて伝送される信号は同じであってもよく、異なってもよく、本願の実施例はこれを具体的に限定しない。
【００６９】
選択肢として、本願の実施例では、ＰＵＳＣＨにおいて搬送される情報は、端末装置を区別するための情報、例えば、端末装置の識別子、ＲＮＴＩ等を含んでもよい。選択肢として、ＰＵＳＣＨにおいてＲＮＴＩが搬送される場合、当該ＲＮＴＩはネットワーク装置によって予め設定された、２ステップＲＡＣＨ伝送に用いられるＲＮＴＩセットから端末装置が選択したものであってもよい。
【００７０】
このとき、ＰＵＳＣＨにおいて搬送される情報ビットが少なく、符号レートが低く、ネットワーク装置が正確に復調できる確率は大きい。
【００７１】
選択肢として、ＰＵＳＣＨにおいて搬送される情報は、端末装置を区別するための情報、及び物理ランダムアクセスチャネル（ＰＲＡＣＨ、Ｐｈｙｓｉｃａｌ  Ｒａｎｄｏｍ  Ａｃｃｅｓｓ  Ｃｈａｎｎｅｌ）の送信をトリガーするイベントが属するカテゴリを含んでもよい。ＰＲＡＣＨの送信をトリガーするイベントは、
端末装置が初期アクセスを行う必要があること、又は
無線リンク失敗後、端末装置がＲＲＣ接続を再確立する必要があること、又は
端末装置がＲＲＣ接続状態にあり、サービングセルからターゲットセルにハンドオーバする必要があること、又は
端末装置がＲＲＣ接続状態にあるが、アップリンク同期が実現せず、このとき、端末装置がアップリンクデータを送信し又はダウンリンクデータを受信すること、又は
端末装置がＲＲＣ非アクティブ状態からＲＲＣ接続状態に切り替えること、又は
端末装置がＲＲＣ接続状態にあり、このとき、測位過程を実行する必要があるが、端末装置がＴＡを有さないこと、又は
端末装置が他のシステム情報（ＯＳＩ、Ｏｔｈｅｒ  Ｓｙｓｔｅｍ  Ｉｎｆｏｒｍａｔｉｏｎ）を要求すること、又は
端末装置がビーム（Ｂｅａｍ）失敗の回復を行う必要があること、を含んでもよい。
【００７２】
このとき、選択肢として、端末装置は複数のビットを使用して、ＰＲＡＣＨの送信をトリガーするイベントが属するカテゴリを示してもよい。例えば、３つのビットを使用して、ＰＲＡＣＨの送信をトリガーするイベントが属するカテゴリを示すことができ、即ち、「０００」は端末装置が初期アクセスを行う必要があることを示し、「００１」は端末装置がＲＲＣ接続を再確立する必要があることを示し、「０１０」は端末装置がセルハンドオーバを行う必要があることを示し、…、「１１１」は端末装置がＢｅａｍ失敗の回復を行う必要があることを示す。
【００７３】
選択肢として、ＰＵＳＣＨにおいて搬送される情報は、端末装置を区別するための情報、ＰＲＡＣＨの送信をトリガーするイベントが属するカテゴリ、及びこのイベントを完了するために伝送する必要がある情報を含んでもよい。
【００７４】
例示的に、端末装置の初期アクセスについては、３つのビット「０００」を使用して、端末装置が初期アクセスを行う必要があることを示すことができる。また、他のビットを使用して、初期アクセスを完了するために伝送する必要がある情報、例えばＲＲＣ層によるＲＲＣ接続要求を示すこともできる。
【００７５】
例示的に、接続再確立については、３つのビット「００１」を使用して、端末装置がＲＲＣ接続を再確立する必要があることを示すことができる。また、他のビットを使用してＲＲＣ層によるＲＲＣ接続再確立要求を示すこともできる。
【００７６】
例示的に、端末装置のセルハンドオーバについては、３つのビット「０１０」を使用して、端末装置がセルハンドオーバを行う必要があることを示すことができる。また、他のビットを使用して、ＲＲＣ層によるＲＲＣハンドオーバ完了メッセージを示すこともできる。
【００７７】
更に、ＰＵＳＣＨにおいて搬送される情報は、スケジューリング要求（ＳＲ、Ｓｃｈｅｄｕｌｉｎｇ  Ｒｅｑｕｅｓｔ）、バッファステータスレポート（ＢＳＲ、Ｂｕｆｆｅｒ  Ｓｔａｔｕｓ  Ｒｅｐｏｒｔ）、及びサービスデータを含んでもよいが、それらに限定されない。
【００７８】
選択肢として、Ｐｒｅａｍｂｌｅのサブキャリア間隔とＰＵＳＣＨのサブキャリア間隔は同じであってもよい。
【００７９】
例えば、Ｐｒｅａｍｂｌｅのサブキャリア間隔は１５ｋＨＺであり、ＰＵＳＣＨのサブキャリア間隔も１５ｋＨＺである。
【００８０】
また例えば、Ｐｒｅａｍｂｌｅのサブキャリア間隔は３０ｋＨＺであり、ＰＵＳＣＨのサブキャリア間隔も３０ｋＨＺである。
【００８１】
選択肢として、Ｐｒｅａｍｂｌｅのサブキャリア間隔とＰＵＳＣＨのサブキャリア間隔は異なってもよい。
【００８２】
例えば、Ｐｒｅａｍｂｌｅのサブキャリア間隔は１５ｋＨＺであり、ＰＵＳＣＨのサブキャリア間隔は３０ｋＨＺである。
【００８３】
また例えば、Ｐｒｅａｍｂｌｅのサブキャリア間隔は６０ｋＨＺであり、ＰＵＳＣＨのサブキャリア間隔は３０ｋＨＺである。
【００８４】
選択肢として、第１ＣＰの長さと第２ＣＰの長さは同じであってもよい。
【００８５】
このとき、ネットワーク装置による処理は比較的簡単である。
【００８６】
選択肢として、ネットワーク装置がＰｒｅａｍｂｌｅに基づいてタイミング推定を行い、推定したタイミングに基づいてＰＵＳＣＨを処理することができる場合、第１ＣＰの長さと第２ＣＰの長さは異なってもよい。例えば、第１ＣＰの長さは第２ＣＰの長さよりも大きくてもよい。
【００８７】
一実施形態では、第２情報セグメントの数は第１情報セグメントの数に基づいて決定され得る。
【００８８】
端末側にとって、端末装置は第１情報セグメントの数を決定した後、第１情報セグメントの数に基づいて第２情報セグメントの数を得ることができる。
【００８９】
ネットワーク側にとって、第１情報セグメントの数を事前に知ってもよく、又はｐｒｅａｍｂｌｅを受信した後、第１情報セグメントの数を得てもよく、第１情報セグメントの数に基づいて、第２情報セグメントの数を決定する。
【００９０】
又は、第１情報セグメントの数は第２情報セグメントの数に基づいて決定され得る。
【００９１】
端末側にとって、端末装置は第２情報セグメントの数を決定した後、第２情報セグメントの数に基づいて第１情報セグメントの数を得ることができる。
【００９２】
ネットワーク側にとって、第２情報セグメントの数を事前に知ってもよく、又はアップリンク情報を受信した後、第２情報セグメントの数を得てもよく、第２情報セグメントの数に基づいて、第１情報セグメントの数を決定する。
【００９３】
一例として、第１情報セグメントの数と第２情報セグメントの数との比は第１プリセット値であり、これは、第２情報セグメントの数／第１情報セグメントの数＝第１プリセット値であり、又は第１情報セグメントの数／第２情報セグメントの数＝第１プリセット値であると理解できる。
【００９４】
選択肢として、第１プリセット値はシステムによって予め設定されたものであってもよい。
【００９５】
第１情報セグメントの数が知られている場合、端末装置又はネットワーク装置は、第１情報セグメントの数とシステムが予め設定した第１プリセット値に基づいて、第２情報セグメントの数を決定することができる。
【００９６】
又は、第２情報セグメントの数が知られている場合、端末装置又はネットワーク装置は、第２情報セグメントの数とシステムが予め設定した第１プリセット値に基づいて、第１情報セグメントの数を決定することができる。
【００９７】
選択肢として、第１プリセット値はネットワーク装置によって決定されてもよい。
【００９８】
ネットワーク装置は第１プリセット値を決定した後、当該第１プリセット値を指示する情報を端末装置に送信できる。端末装置は当該情報を受信した後、第１プリセット値を取得できる。
【００９９】
選択肢として、第１プリセット値は端末装置によって決定されてもよい。
【０１００】
選択肢として、第１プリセット値は、ＰＵＳＣＨの符号レート、ＰＵＳＣＨの変調及び符号化方式（ＭＣＳ、Ｍｏｄｕｌａｔｉｏｎ  ａｎｄ  Ｃｏｄｉｎｇ  Ｓｃｈｅｍｅ）、及びＰＵＳＣＨの周波数領域リソース量のうちの少なくとも１つに基づいて決定されてもよい。
【０１０１】
端末装置はＰＵＳＣＨの符号レート、ＰＵＳＣＨの変調及び符号化方式、及びＰＵＳＣＨの周波数領域リソース量のうちの少なくとも１つに基づいて第１プリセット値を決定できる。
【０１０２】
勿論、ネットワーク装置もＰＵＳＣＨの符号レート、ＰＵＳＣＨの変調及び符号化方式、及びＰＵＳＣＨの周波数領域リソース量のうちの少なくとも１つに基づいて第１プリセット値を決定できる。そのあと、ネットワーク装置は第１プリセット値を指示する指示情報を端末装置に送信できる。端末装置は当該指示情報を受信すると、第１プリセット値を取得できる。
【０１０３】
又は、ネットワーク装置又は端末装置は、それぞれＰＵＳＣＨの符号レート、ＰＵＳＣＨの変調及び符号化方式、及びＰＵＳＣＨの周波数領域リソース量のうちの少なくとも１つに基づいて第１プリセット値を決定できる。
【０１０４】
理解されるように、本願の実施例は、ＰＵＳＣＨの符号レート、ＰＵＳＣＨの変調及び符号化方式、及びＰＵＳＣＨの周波数領域リソース量のうちの少なくとも１つに基づいて第１プリセット値を決定する方法を具体的に限定せず、ＰＵＳＣＨの符号レート、ＰＵＳＣＨの変調及び符号化方式、及びＰＵＳＣＨの周波数領域リソース量のうちの少なくとも１つに基づいて第１プリセット値を決定できるいずれかのアルゴリズムは、本願の保護範囲内に含まれる。
【０１０５】
一例では、当該第１プリセット値は正整数であってもよい。即ち、第２情報セグメントの数は第１情報セグメントの数の倍数であり、又は第１情報セグメントの数は第２情報セグメントの数の倍数である。
【０１０６】
例えば、第１プリセット値は１であってもよく、第１情報セグメントの数をＰ、第２情報セグメントの数をＮとする場合、Ｎ＝Ｐである。
【０１０７】
例えば、第１プリセット値は２であってもよく、即ち、Ｎ＝２＊Ｐであり、又はＰ＝２＊Ｎである。
【０１０８】
一例として、第２情報セグメントの数と第１情報セグメントの数との差は第２プリセット値であり、これは、第２情報セグメントの数−第１情報セグメントの数＝第２プリセット値であり、又は、第１情報セグメントの数−第２情報セグメントの数＝第２プリセット値であると理解できる。
【０１０９】
一例では、当該第２プリセット値は正整数であってもよい。
【０１１０】
例えば、第２プリセット値は１であってもよく、第１情報セグメントの数をＰ、第２情報セグメントの数をＮとする場合、Ｎ＝Ｐ−１であり、又はＰ＝Ｎ−１である。
【０１１１】
なお、第２プリセット値の決定方式については第１プリセット値の決定方式を参照できる。内容を簡潔にするために、ここで繰り返して説明しない。
【０１１２】
一実施形態では、第２情報セグメントの数はＰｒｅａｍｂｌｅの識別子に基づいて決定されてもよい。当該操作は端末装置によって実現されてもよく、ネットワーク装置によって実現されてもよい。
【０１１３】
選択肢として、Ｐｒｅａｍｂｌｅの識別子は第１メッセージに含まれてもよい。
【０１１４】
選択肢として、Ｐｒｅａｍｂｌｅの識別子は第２情報セグメントの数と対応関係を有してもよい。端末装置又はネットワーク装置はＰｒｅａｍｂｌｅの識別子と第２情報セグメントの数との対応関係、及びＰｒｅａｍｂｌｅの識別子に基づいて、第２情報セグメントの数を決定できる。
【０１１５】
Ｐｒｅａｍｂｌｅの識別子と第２情報セグメントの数との対応関係は１対１の関係であってもよく、即ち、１つのＰｒｅａｍｂｌｅの識別子は１つの第２情報セグメントの数に対応できる。
【０１１６】
又は、Ｐｒｅａｍｂｌｅの識別子と第２情報セグメントの数との対応関係は多対一の関係であってもよく、即ち、複数のＰｒｅａｍｂｌｅの識別子は１つの第２情報セグメントの数に対応できる。
【０１１７】
例えば、候補ＰｒｅａｍｂｌｅはＮグループに分けられ、各グループのＰｒｅａｍｂｌｅには複数のＰｒｅａｍｂｌｅが含まれ、各グループのＰｒｅａｍｂｌｅは１つの第２情報セグメントの数に対応する。
【０１１８】
Ｐｒｅａｍｂｌｅの識別子と第２情報セグメントとの対応関係の決定については、第１プリセット値の決定方式を参照できる。ここで、贅言を回避するために、その詳細な説明を省略する。
【０１１９】
選択肢として、使用可能なＰｒｅａｍｂｌｅは複数のグループとして示されてもよく、第２情報セグメントの数は各グループのＰｒｅａｍｂｌｅのデータに基づいて決定されてもよい。
【０１２０】
例えば、使用可能なＰｒｅａｍｂｌｅは合計で３つあり、１番目のＰｒｅａｍｂｌｅと３番目のＰｒｅａｍｂｌｅは第１グループとして示され、２番目のＰｒｅａｍｂｌｅは第２グループとして示される。１番目のＰｒｅａｍｂｌｅを使用するとき、端末装置又はネットワーク装置は第１グループのＰｒｅａｍｂｌｅの数に基づいて第２情報セグメントの数を決定でき、２番目のＰｒｅａｍｂｌｅを使用するとき、端末装置又はネットワーク装置は第２グループのＰｒｅａｍｂｌｅの数に基づいて第２情報セグメントの数を決定できる。
【０１２１】
一実施形態では、第２情報セグメントの数はＰｒｅａｍｂｌｅに対応するフォーマットに基づいて決定されてもよい。当該操作は端末装置によって実現されてもよく、ネットワーク装置によって実現されてもよい。
【０１２２】
選択肢として、Ｐｒｅａｍｂｌｅに対応するフォーマットはＰＲＡＣＨ設定インデックスに基づいて決定されてもよい。
【０１２３】
選択肢として、第２情報セグメントの数はＰｒｅａｍｂｌｅに対応するフォーマットと対応関係を有してもよく、端末装置又はネットワーク装置は第２情報セグメントの数とＰｒｅａｍｂｌｅに対応するフォーマットとの対応関係に基づいて第２情報セグメントの数を決定できる。
【０１２４】
一実施形態では、第２情報セグメントの数は、ＰＵＳＣＨの符号レート、ＰＵＳＣＨのＭＣＳ及びＰＵＳＣＨの周波数領域リソース量のうちの少なくとも１つに基づいて決定されてもよい。当該操作は端末装置によって実現されてもよく、ネットワーク装置によって実現されてもよい。
【０１２５】
選択肢として、ＰＵＳＣＨの符号レートが小さいほど、第２情報セグメントの数は多い。
【０１２６】
選択肢として、ＰＵＳＣＨのＭＣＳのレベルが低いほど、第２情報セグメントの数は多い。
【０１２７】
例えば、ＰＵＳＣＨのＭＣＳのレベルが２である場合、第２情報セグメントの数は４であり、ＰＵＳＣＨのＭＣＳのレベルが４である場合、第２情報セグメントの数は２である。
【０１２８】
選択肢として、ＰＵＳＣＨの周波数領域リソース量が小さいほど、第２情報セグメントの数は多い。
【０１２９】
例えば、ＰＵＳＣＨが周波数領域において２つのリソースブロック（ＲＢ、Ｒｅｓｏｕｒｃｅ  Ｂｌｏｃｋ）を占有する場合、第２情報セグメントの数は２であり、ＰＵＳＣＨが周波数領域において１つのＲＢを占有する場合、第２情報セグメントの数は４であり、ＰＵＳＣＨが周波数領域において４つのＲＢを占有する場合、第２情報セグメントの数は１である。
【０１３０】
一実施形態では、第２情報セグメントの数は、標準で予め設定され又はネットワーク装置によって予め設定されてもよい。
【０１３１】
選択肢として、ネットワーク装置は現在のネットワーク状況、例えばネットワークの輻輳状況に基づいて、第２情報セグメントの数を決定してもよい。そのあと、ネットワーク装置は端末装置が第１メッセージを送信する前に、端末装置に設定情報を送信して、端末装置に第２情報セグメントの数を指示する。
【０１３２】
理解されるように、第１情報セグメントの数の決定方式については第２情報セグメントの数の決定方式を参照できる。ここで繰り返して説明しない。
【０１３３】
本願の実施例の一実施形態では、ＰＵＳＣＨが時間領域において占有する第２シンボルの数は、Ｐｒｅａｍｂｌｅが時間領域において占有する第１シンボルの数に基づいて決定されてもよい。当該操作は端末装置によって実現されてもよく、ネットワーク装置によって実現されてもよい。
【０１３４】
一例として、第２シンボルの数と第１シンボルの数との比は第３プリセット値であり、これは、第２シンボルの数／第１シンボルの数＝第３プリセット値であり、又は、第１シンボルの数／第２シンボルの数＝第３プリセット値であると理解できる。
【０１３５】
一例として、第２シンボルの数と第１シンボルの数との差は第４プリセット値であり、これは、第２シンボルの数−第１シンボルの数＝第４プリセット値であり、又は第１シンボルの数−第２シンボルの数＝第４プリセット値であると理解できる。
【０１３６】
一実施形態では、ＰＵＳＣＨが時間領域において占有する第２シンボルの数はＰｒｅａｍｂｌｅの識別子に基づいて決定されてもよい。当該操作は端末装置によって実現されてもよく、ネットワーク装置によって実現されてもよい。
【０１３７】
一実施形態では、ＰＵＳＣＨが時間領域において占有する第２シンボルの数はＰｒｅａｍｂｌｅに対応するフォーマットに基づいて決定されてもよい。当該操作は端末装置によって実現されてもよく、ネットワーク装置によって実現されてもよい。
【０１３８】
一実施形態では、ＰＵＳＣＨが時間領域において占有する第２シンボルの数は、標準で予め設定され又はネットワーク装置によって予め設定されてもよい。
【０１３９】
一実施形態では、ＰＵＳＣＨが時間領域において占有する第２シンボルの数は、ＰＵＳＣＨの符号レート、ＰＵＳＣＨの変調及び符号化方式、及びＰＵＳＣＨの周波数領域リソース量のうちの少なくとも１つに基づいて決定されてもよい。当該操作は端末装置によって実現されてもよく、ネットワーク装置によって実現されてもよい。
【０１４０】
理解されるように、以上ではそれぞれ第２情報セグメントの数の決定方式及び第２シンボルの数の決定方式を説明したが、第２情報セグメントの数の決定方式と第２シンボルの数の決定方式が独立したものであることを意味せず、第２シンボルの数の決定方式については第２情報セグメントの決定方式を参照できる。勿論、第１シンボルの数の決定方式についても第２情報セグメントの決定方式を参照できる。
【０１４１】
可能な実施例として、本願の実施例の方法は、端末装置が複数のランダムアクセス伝送フォーマットからランダムアクセス伝送フォーマットを決定することを更に含んでもよい。このとき、端末装置は決定されたランダムアクセス伝送フォーマットに基づいて、ネットワーク装置に第１メッセージを送信することができる。
【０１４２】
又は、ネットワーク装置は複数のランダムアクセス伝送フォーマットからランダムアクセス伝送フォーマットを決定してもよい。且つ更に、ネットワーク装置は決定されたランダムアクセス伝送フォーマットを端末装置に設定できる。
【０１４３】
選択肢として、ランダムアクセス伝送フォーマットは、Ｐｒｅａｍｂｌｅ又はＰＵＳＣＨが時間領域において占有するシンボルの数、各シンボルに含まれる情報セグメントの数及びＣＰの長さ、Ｐｒｅａｍｂｌｅ又はＰＵＳＣＨサブキャリア間隔等の情報を示すことができる。
【０１４４】
異なるランダムアクセス伝送フォーマットは、第１ＣＰの長さ、第２ＣＰの長さ、第１シンボルの数及び第１シンボルにおける第１情報セグメントの数、第２シンボルの数及び第２シンボルにおける第２情報セグメントの数のうちの少なくとも１つは異なる。
【０１４５】
選択肢として、本願の実施例では、ランダムアクセス伝送フォーマットはＰｒｅａｍｂｌｅの伝送フォーマット及びＰＵＳＣＨの伝送フォーマットを含んでもよい。Ｐｒｅａｍｂｌｅの伝送フォーマット、及び／又は、ＰＵＳＣＨの伝送フォーマットが異なる場合、ランダムアクセス伝送フォーマットは異なり、又はランダムアクセス伝送フォーマットが異なる場合、Ｐｒｅａｍｂｌｅの伝送フォーマット、及び／又は、ＰＵＳＣＨの伝送フォーマットは異なる。
【０１４６】
図５は３つのランダムアクセス伝送フォーマットの模式図である。図５では、異なるパターンは異なる内容を示す。Ｍが第２シンボルの数を示し、Ｎが第２情報セグメントの数を示し、Ｐが第１情報セグメントの数を示すようにする。
【０１４７】
上の図では、Ｐｒｅａｍｂｌｅは時間領域において１つのシンボルを占有し、当該シンボルには１つの第１ＣＰ及び１つの第１情報セグメントが含まれ、ＰＵＳＣＨは時間領域において１つのシンボルを占有し、当該シンボルには１つの第２ＣＰ及び２つの同じ第２情報セグメントが含まれ、即ち、Ｍ＝１、Ｎ＝２、Ｐ＝１である。真ん中の図では、Ｐｒｅａｍｂｌｅは時間領域において１つのシンボルを占有し、当該シンボルには１つの第１ＣＰ及び２つの同じ第２情報セグメントが含まれ、ＰＵＳＣＨは時間領域において１つのシンボルを占有し、当該シンボルには１つの第２ＣＰ及び２つの同じ第２情報セグメントが含まれ、即ち、Ｍ＝１、Ｎ＝２、Ｐ＝２である。下の図では、Ｐｒｅａｍｂｌｅは時間領域において１つのシンボルを占有し、当該シンボルには１つの第１ＣＰ及び２つの同じ第１情報セグメントが含まれ、ＰＵＳＣＨは時間領域において２つのシンボルを占有し、各シンボルにはいずれも１つの第２ＣＰ及び２つの同じ情報セグメントが含まれ、即ち、Ｍ＝２、Ｎ＝２、Ｐ＝２である。理解されるように、異なるシンボルにおいて異なる情報を伝送でき、同一のシンボルの複数の情報セグメントにおいて同じ情報を伝送する。
【０１４８】
これから分かるように、図５の上の図及び真ん中の図では、ＰＵＳＣＨ部分の伝送フォーマットは同じであり、Ｐｒｅａｍｂｌｅ部分の第２情報セグメントの数は異なり、すなわち、Ｐｒｅａｍｂｌｅ部分の伝送フォーマットは異なる。従って、図５の上の図と真ん中の図のランダムアクセス伝送フォーマットは異なる。
【０１４９】
また分かるように、図５の真ん中の図と下の図を比較した結果、Ｐｒｅａｍｂｌｅ部分の伝送フォーマットは同じであり、ＰＵＳＣＨ部分のＰＵＳＣＨが時間領域において占有する第２シンボルの数は異なり、すなわち、ＰＵＳＣＨ部分の伝送フォーマットは異なる。従って、図５の真ん中の図と下の図のランダムアクセス伝送フォーマットは異なる。
【０１５０】
また分かるように、図５の上の図と下の図を比較した結果、Ｐｒｅａｍｂｌｅ部分の伝送フォーマット及びＰＵＳＣＨ部分の伝送フォーマットはいずれも異なり、従って、図５の上の図と下の図のランダムアクセス伝送フォーマットは異なる。
【０１５１】
一例として、端末装置は複数のランダムアクセス伝送フォーマットから、ランダムアクセス伝送フォーマットを選択できる。
【０１５２】
選択肢として、端末装置は複数のランダムアクセス伝送フォーマットから、１つのランダムアクセス伝送フォーマットをランダムに選択してもよい。
【０１５３】
選択肢として、端末装置は一定のパラメータに基づいて、複数のランダムアクセス伝送フォーマットから、１つのランダムアクセス伝送フォーマットを選択してもよい。例えば、当該パラメータは第１情報セグメントの数、第２シンボルの数又は第２情報セグメントの数等であってもよい。
【０１５４】
一例として、ネットワーク装置は複数のランダムアクセス伝送フォーマットから、ランダムアクセス伝送フォーマットを選択できる。次に、ネットワーク装置はランダムアクセス伝送フォーマットを指示する指示情報を端末装置に送信し、端末装置は当該指示情報を受信した後、ランダムアクセス伝送フォーマットを決定できる。
【０１５５】
可能な実施例として、端末装置が今回で第１メッセージを送信するために使用するランダムアクセス伝送フォーマットは、前の少なくとも１回で第１メッセージを送信するために使用するランダムアクセス伝送フォーマットと異なる。
【０１５６】
選択肢として、今回で第１メッセージを送信するために使用するランダムアクセス伝送フォーマットに対応する第２情報セグメントの数は、前の少なくとも１回で第１メッセージを送信するために使用するランダムアクセス伝送フォーマットに対応する第２情報セグメントの数より大きくてもよい。
【０１５７】
可能な実施例として、端末装置が毎回で第１メッセージを送信するために使用するランダムアクセス伝送フォーマットはいずれも同じであってもよい。
【０１５８】
ネットワーク装置は端末装置から送信された第１メッセージを受信した後、ネットワーク装置は端末装置に第２メッセージを送信できる。
【０１５９】
第２メッセージはランダムアクセス応答を含み、ランダムアクセス応答には、ネットワーク装置が端末装置に割り当てたアップリンクリソース、及び競合解決メッセージが含まれる。
【０１６０】
理解されるように、ＰＵＳＣＨにおいて搬送される情報が、端末装置を区別するための情報及びＰＲＡＣＨの送信をトリガーするイベントが属するカテゴリを含む場合、ネットワーク装置が端末装置に割り当てたアップリンクリソースはより正確になり得る。
【０１６１】
なお、本願の実施例の技術案は４ステップのランダムアクセス過程にも適用できる。具体的な実施形態については上記２ステップのランダムアクセスの実施形態を参照できる。ここで繰り返して説明しない。
【０１６２】
本願の実施例によれば、ランダムアクセス過程では、端末装置がネットワーク装置に送信した同一のメッセージにはランダムアクセスプリアンブル及びＰＵＳＣＨが含まれてもよく、２つのシグナリングを使用してネットワーク装置にランダムアクセスプリアンブル及びＰＵＳＣＨを送信することを回避し、それにより、ランダムアクセス過程のシグナリングオーバーヘッドを削減することができる。
【０１６３】
理解されるように、本願の各実施例では、上記各過程の番号は実行順序を意味せず、各過程の実行順序はその機能及び内部ロジックにより決定され、本願の実施例の実施過程を限定しない。
【０１６４】
以上では本願の実施例に係るランダムアクセス方法を詳細に説明した。以下、図６〜図８を参照しながら、本願の実施例に係るランダムアクセス装置を説明し、方法実施例で説明された技術的特徴は以下の装置実施例に適用できる。
【０１６５】
図６は本願の実施例の端末装置６００の模式的なブロック図を示す。図６に示すように、当該端末装置６００は通信ユニット６１０を備え、
当該通信ユニット６１０は、ネットワーク装置に第１メッセージを送信することに用いられ、当該第１メッセージはランダムアクセスプリアンブル及びアップリンク情報を含み、当該ランダムアクセスプリアンブルは時間領域において少なくとも１つの第１シンボルを占有し、当該アップリンク情報は時間領域において少なくとも１つの第２シンボルを占有し、１つの第１シンボルは１つの第１サイクリックプレフィックス（ＣＰ）及び少なくとも１つの第１情報セグメントを含み、１つの第２シンボルは１つの第２ＣＰ及び少なくとも１つの第２情報セグメントを含む。
【０１６６】
選択肢として、本願の実施例では、当該少なくとも１つの第２シンボルのうちの各シンボルは１つの第２ＣＰ及び複数の同じ第２情報セグメントを含む。
【０１６７】
選択肢として、本願の実施例では、当該第２シンボルにおける第２情報セグメントの数は、第１シンボルにおける第１情報セグメントの数に基づいて決定され、又は
第２シンボルにおける第２情報セグメントの数は、ランダムアクセスプリアンブルの識別子に基づいて決定され、又は
第２シンボルにおける第２情報セグメントの数は、ランダムアクセスプリアンブルに対応するフォーマットに基づいて決定され、又は
第２シンボルにおける第２情報セグメントの数は、標準で予め設定され又はネットワーク装置によって予め設定され、又は
第２シンボルにおける第２情報セグメントの数は、アップリンク情報の符号レート、アップリンク情報の変調及び符号化方式（ＭＣＳ）、及びアップリンク情報の周波数領域リソース量のうちの少なくとも１つに基づいて決定される。
【０１６８】
選択肢として、本願の実施例では、第２シンボルにおける第２情報セグメントの数は、第１シンボルにおける第１情報セグメントの数に基づいて決定され、
第２情報セグメントの数と第１情報セグメントの数との比は第１プリセット値であり、又は
第２情報セグメントの数と第１情報セグメントの数との差は第２プリセット値である。
【０１６９】
選択肢として、本願の実施例では、アップリンク情報が時間領域において占有する第２シンボルの数は、ランダムアクセスプリアンブルが時間領域において占有する第１シンボルの数に基づいて決定され、又は
アップリンク情報が時間領域において占有する第２シンボルの数は、ランダムアクセスプリアンブルの識別子に基づいて決定され、又は
アップリンク情報が時間領域において占有する第２シンボルの数は、ランダムアクセスプリアンブルに対応するフォーマットに基づいて決定され、又は
アップリンク情報が時間領域において占有する第２シンボルの数は、標準で予め設定され又はネットワーク装置によって予め設定され、又は
アップリンク情報が時間領域において占有する第２シンボルの数は、アップリンク情報の符号レート、アップリンク情報の変調及び符号化方式（ＭＣＳ）、及びアップリンク情報の周波数領域リソース量のうちの少なくとも１つに基づいて決定される。
【０１７０】
選択肢として、本願の実施例では、アップリンク情報が時間領域において占有する第２シンボルの数は、ランダムアクセスプリアンブルが時間領域において占有する第１シンボルの数に基づいて決定され、
第２シンボルの数と第１シンボルの数との比は第３プリセット値であり、又は
第２シンボルの数と第１シンボルの数との差は第４プリセット値である。
【０１７１】
選択肢として、本願の実施例では、第１ＣＰと第２ＣＰの長さは同じである。
【０１７２】
選択肢として、本願の実施例では、第１ＣＰの長さは第２ＣＰの長さより大きい。
【０１７３】
選択肢として、本願の実施例では、当該端末装置６００は、複数のランダムアクセス伝送フォーマットからランダムアクセス伝送フォーマットを決定することに用いられる処理ユニット６２０を更に備えてもよく、異なるランダムアクセス伝送フォーマットは、第１ＣＰの長さ、アップリンク情報が時間領域において占有する第２シンボルの数、第１シンボルにおける第１情報セグメントの数、及び第２シンボルにおける第２情報セグメントの数のうちの少なくとも１つは異なり、
当該通信ユニット６１０は更に、
決定されたランダムアクセス伝送フォーマットに基づいて、ネットワーク装置に第１メッセージを送信することに用いられる。
【０１７４】
選択肢として、本願の実施例では、今回で第１メッセージを送信するために使用するランダムアクセス伝送フォーマットは、前の少なくとも１回で第１メッセージを送信するために使用するランダムアクセス伝送フォーマットと異なり、
異なるランダムアクセス伝送フォーマットは、第１ＣＰの長さ、アップリンク情報が時間領域において占有する第２シンボルの数、第１シンボルにおける第１情報セグメントの数、及び第２シンボルにおける第２情報セグメントの数のうちの少なくとも１つは異なる。
【０１７５】
選択肢として、本願の実施例では、ランダムアクセスプリアンブルのサブキャリア間隔とアップリンク情報のサブキャリア間隔は同じである。
【０１７６】
選択肢として、本願の実施例では、アップリンク情報は当該端末装置６００の識別子、ＳＲ、ＢＳＲ及びサービスデータのうちの少なくとも１つを含む。
【０１７７】
理解されるように、当該端末装置６００は方法４００の端末装置に対応でき、当該方法４００の端末装置の対応する操作を実現できる。簡潔のために、ここで繰り返して説明しない。
【０１７８】
図７は本願の実施例のネットワーク装置７００の模式的なブロック図を示す。図７に示すように、当該ネットワーク装置７００は通信ユニット７１０を備え、
当該通信ユニット７１０は、端末装置から送信された第１メッセージを受信することに用いられ、当該第１メッセージはランダムアクセスプリアンブル及びアップリンク情報を含み、ランダムアクセスプリアンブルは時間領域において少なくとも１つの第１シンボルを占有し、アップリンク情報は時間領域において少なくとも１つの第２シンボルを占有し、１つの第１シンボルは１つの第１サイクリックプレフィックス（ＣＰ）及び少なくとも１つの第１情報セグメントを含み、１つの第２シンボルは１つの第２ＣＰ及び少なくとも１つの第２情報セグメントを含む。
【０１７９】
選択肢として、本願の実施例では、少なくとも１つの第２シンボルのうちの各シンボルは１つの第２ＣＰ及び複数の同じ第２情報セグメントを含む。
【０１８０】
選択肢として、本願の実施例では、第２シンボルにおける第２情報セグメントの数は、第１シンボルにおける第１情報セグメントの数に基づいて決定され、又は
第２シンボルにおける第２情報セグメントの数は、ランダムアクセスプリアンブルの識別子に基づいて決定され、又は
第２シンボルにおける第２情報セグメントの数は、ランダムアクセスプリアンブルに対応するフォーマットに基づいて決定され、又は
第２シンボルにおける第２情報セグメントの数は、標準で予め設定され又は当該ネットワーク装置７００によって予め設定され、又は
第２シンボルにおける第２情報セグメントの数は、アップリンク情報の符号レート、アップリンク情報のＭＣＳ、及びアップリンク情報の周波数領域リソース量のうちの少なくとも１つに基づいて決定される。
【０１８１】
選択肢として、本願の実施例では、第２シンボルにおける第２情報セグメントの数は、第１シンボルにおける第１情報セグメントの数に基づいて決定され、
第２情報セグメントの数と第１情報セグメントの数との比は第１プリセット値であり、又は
第２情報セグメントの数と第１情報セグメントの数との差は第２プリセット値である。
【０１８２】
選択肢として、本願の実施例では、アップリンク情報が時間領域において占有する第２シンボルの数は、ランダムアクセスプリアンブルが時間領域において占有する第１シンボルの数に基づいて決定され、又は
アップリンク情報が時間領域において占有する第２シンボルの数は、ランダムアクセスプリアンブルの識別子に基づいて決定され、又は
アップリンク情報が時間領域において占有する第２シンボルの数は、ランダムアクセスプリアンブルに対応するフォーマットに基づいて決定され、又は
アップリンク情報が時間領域において占有する第２シンボルの数は、標準で予め設定され又はネットワーク装置によって予め設定され、又は
アップリンク情報が時間領域において占有する第２シンボルの数は、アップリンク情報の符号レート、アップリンク情報のＭＣＳ、及びアップリンク情報の周波数領域リソース量のうちの少なくとも１つに基づいて決定される。
【０１８３】
選択肢として、本願の実施例では、アップリンク情報が時間領域において占有する第２シンボルの数は、ランダムアクセスプリアンブルが時間領域において占有する第１シンボルの数に基づいて決定され、
第２シンボルの数と第１シンボルの数との比は第３プリセット値であり、又は
第２シンボルの数と第１シンボルの数との差は第４プリセット値である。
【０１８４】
選択肢として、本願の実施例では、第１ＣＰと第２ＣＰの長さは同じである。
【０１８５】
選択肢として、本願の実施例では、第１ＣＰの長さは前記第２ＣＰの長さより大きい。
【０１８６】
選択肢として、本願の実施例では、当該ネットワーク装置７００は複数のランダムアクセス伝送フォーマットからランダムアクセス伝送フォーマットを決定することに用いられる処理ユニット７２０を更に備えてもよく、異なるランダムアクセス伝送フォーマットは、第１ＣＰの長さ、アップリンク情報が時間領域において占有する第２シンボルの数、第１シンボルにおける第１情報セグメントの数、及び第２シンボルにおける第２情報セグメントの数のうちの少なくとも１つは異なり、
当該通信ユニット７１０は更に、
決定されたランダムアクセス伝送フォーマットを含む設定情報を端末装置に送信することに用いられる。
【０１８７】
選択肢として、本願の実施例では、ランダムアクセスプリアンブルのサブキャリア間隔とアップリンク情報のサブキャリア間隔は同じである。
【０１８８】
選択肢として、本願の実施例では、アップリンク情報は端末装置の識別子、ＳＲ、ＢＳＲ及びサービスデータのうちの少なくとも１つを含む。
【０１８９】
理解されるように、当該ネットワーク装置７００は方法４００のネットワーク装置に対応でき、当該方法４００のネットワーク装置の対応する操作を実現できる。簡潔のために、ここで繰り返して説明しない。
【０１９０】
図８は本願の実施例に係る通信装置８００の構造模式図である。図８に示される通信装置８００は、メモリからコンピュータプログラムを呼び出して実行することで、本願の実施例の方法を実現することができるプロセッサ８１０を備える。
【０１９１】
選択肢として、図８に示すように、通信装置８００はメモリ８２０を備えてもよい。プロセッサ８１０は、メモリ８２０からコンピュータプログラムを呼び出して実行することで、本願の実施例の方法を実現することができる。
【０１９２】
メモリ８２０はプロセッサ８１０から独立した個別のデバイスであってもよく、プロセッサ８１０に集積されたものであってもよい。
【０１９３】
選択肢として、図８に示すように、通信装置８００は送受信機８３０を備えてもよく、プロセッサ８１０は当該送受信機８３０と他の装置との通信を制御でき、具体的に、他の装置に情報又はデータを送信でき、又は他の装置から送信された情報又はデータを受信できる。
【０１９４】
送受信機８３０は送信機と受信機を備えてもよい。送受信機８３０は更にアンテナを備えてもよく、アンテナの数は１つ又は複数であってもよい。
【０１９５】
選択肢として、当該通信装置８００は具体的に本願の実施例のネットワーク装置であってもよく、且つ当該通信装置８００は本願の実施例の各方法におけるネットワーク装置による対応のフローを実現することができる。簡潔のために、ここで繰り返して説明しない。
【０１９６】
選択肢として、当該通信装置８００は具体的に本願の実施例の端末装置であってもよく、且つ当該通信装置８００は本願の実施例の各方法における端末装置による対応のフローを実現することができる。簡潔のために、ここで繰り返して説明しない。
【０１９７】
図９は本願の実施例に係るチップの構造模式図である。図９に示されるチップ９００は、メモリからコンピュータプログラムを呼び出して実行することで、本願の実施例の方法を実現することができるプロセッサ９１０を備える。
【０１９８】
選択肢として、図９に示すように、チップ９００はメモリ９２０を備えてもよい。プロセッサ９１０は、メモリ９２０からコンピュータプログラムを呼び出して実行することで、本願の実施例の方法を実現することができる。
【０１９９】
メモリ９２０はプロセッサ９１０から独立した個別のデバイスであってもよく、プロセッサ９１０に集積されたものであってもよい。
【０２００】
選択肢として、当該チップ９００は入力インタフェース９３０を備えてもよい。プロセッサ９１０は当該入力インタフェース９３０と他の装置又はチップとの通信を制御でき、具体的に、他の装置又はチップから送信された情報又はデータを取得できる。
【０２０１】
選択肢として、当該チップ９００は出力インタフェース９４０を備えてもよい。プロセッサ９１０は当該出力インタフェース９４０と他の装置又はチップとの通信を制御でき、具体的に、他の装置又はチップに情報又はデータを出力できる。
【０２０２】
選択肢として、当該チップは本願の実施例の端末装置に適用でき、且つ当該チップは本願の実施例の各方法における端末装置による対応のフローを実現することができる。簡潔のために、ここで繰り返して説明しない。
【０２０３】
選択肢として、当該チップは本願の実施例のネットワーク装置に適用でき、且つ当該チップは本願の実施例の各方法におけるネットワーク装置による対応のフローを実現することができる。簡潔のために、ここで繰り返して説明しない。
【０２０４】
理解されるように、本願の実施例に係るチップはシステムレベルチップ、システムチップ、チップシステム又はシステムオンチップ等とも呼ばれる。
【０２０５】
理解されるように、本願の実施例のプロセッサは集積回路チップであってもよく、信号の処理能力を有する。実現過程では、上記方法実施例の各ステップは、プロセッサにおけるハードウェアの集積論理回路又はソフトウェア形態の命令によって遂行できる。上記プロセッサは汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、離散ゲート又はトランジスタロジックデバイス、個別ハードウェア部品であってもよい。本願の実施例に開示されている各方法、ステップ及びロジックブロック図を実現又は実行することができる。汎用プロセッサはマイクロプロセッサであってもよく、又は当該プロセッサはいずれかの通常のプロセッサ等であってもよい。本願の実施例に開示されている方法のステップは、ハードウェアデコードプロセッサによって直接実行されてもよく、又はデコードプロセッサにおけるハードウェア及びソフトウェアモジュールの組み合わせによって実行されてもよい。ソフトウェアモジュールはランダムメモリ、フラッシュメモリ、読み出し専用メモリ、プログラマブル読み出し専用メモリ又は電気的消去可能プログラマブルメモリ、レジスタ等の本分野の成熟した記憶媒体にあってもよい。当該記憶媒体はメモリにあり、プロセッサはメモリにおける情報を読み取り、そのハードウェアと組み合わせて上記方法のステップを遂行する。
【０２０６】
理解できるように、本願実施例において、メモリは揮発性メモリ又は不揮発性メモリであってもよく、又は、揮発性メモリと不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリはランダムアクセスメモリ（ＲＡＭ、Ｒａｎｄｏｍ  Ａｃｃｅｓｓ  Ｍｅｍｏｒｙ）であってもよく、外部キャッシュメモリとして使用される。例示的であって制限的ではない説明によれば、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）は利用可能である。なお、本明細書に説明されるシステム及び方法のメモリはこれらのメモリ及び任意の他の適切なタイプのメモリを含むが、これらに限らないように意図されている。
【０２０７】
理解されるように、上記メモリの記載は例示的であって制限的なものではなく、例えば、本願実施例におけるメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。すなわち、本願実施例におけるメモリはこれらのメモリ及び任意の他の適切なタイプのメモリを含むが、これらに限らないように意図されている。
【０２０８】
図１０は本願の実施例に係る通信システム１０００の模式的なブロック図である。図１０に示すように、当該通信システム１０００は端末装置１０１０とネットワーク装置１０２０を備える。
【０２０９】
当該端末装置１０１０は上記方法における端末装置による対応の機能を実現することに用いることができ、当該ネットワーク装置１０２０は上記方法におけるネットワーク装置による対応の機能を実現することに用いることができる。簡潔のために、ここで繰り返して説明しない。
【０２１０】
本願の実施例はコンピュータプログラムを記憶することに用いられるコンピュータ可読記憶媒体を更に提供する。
【０２１１】
選択肢として、当該コンピュータ可読記憶媒体は本願の実施例の端末装置に適用でき、且つ当該コンピュータプログラムは本願の実施例の各方法における端末装置による対応のフローをコンピュータに実行させる。簡潔のために、ここで繰り返して説明しない。
【０２１２】
選択肢として、当該コンピュータ可読記憶媒体は本願の実施例のネットワーク装置に適用でき、且つ当該コンピュータプログラムは本願の実施例の各方法におけるネットワーク装置による対応のフローをコンピュータに実行させる。簡潔のために、ここで繰り返して説明しない。
【０２１３】
本願の実施例はコンピュータプログラム命令を含むコンピュータプログラム製品を更に提供する。
【０２１４】
選択肢として、当該コンピュータプログラム製品は本願の実施例の端末装置に適用でき、且つ当該コンピュータプログラム命令は本願の実施例の各方法における端末装置による対応のフローをコンピュータに実行させる。簡潔のために、ここで繰り返して説明しない。
【０２１５】
選択肢として、当該コンピュータプログラム製品は本願の実施例のネットワーク装置に適用でき、且つ当該コンピュータプログラム命令は本願の実施例の各方法におけるネットワーク装置による対応のフローをコンピュータに実行させる。簡潔のために、ここで繰り返して説明しない。
【０２１６】
本願の実施例はコンピュータプログラムを更に提供する。
【０２１７】
選択肢として、当該コンピュータプログラムは本願の実施例の端末装置に適用でき、当該コンピュータプログラムがコンピュータ上で実行されると、本願の実施例の各方法における端末装置による対応のフローをコンピュータに実行させる。簡潔のために、ここで繰り返して説明しない。
【０２１８】
選択肢として、当該コンピュータプログラムは本願の実施例のネットワーク装置に適用でき、当該コンピュータプログラムがコンピュータ上で実行されると、本願の実施例の各方法におけるネットワーク装置による対応のフローをコンピュータに実行させる。簡潔のために、ここで繰り返して説明しない。
【０２１９】
当業者であれば理解できるように、本明細書に開示されている実施例で説明された各例示的なユニット及びアルゴリズムステップは、電子ハードウェア、又はコンピュータソフトウェアと電子ハードウェアとの組み合わせによって実現され得る。これらの機能がハードウェアそれともソフトウェア形態で実行されるかは、技術案の特定応用及び設計制約条件に決められる。当業者は各特定の応用に対して異なる方法で、説明された機能を実現することができるが、この実現は本願の範囲を超えると見なされるべきではない。
【０２２０】
当業者が明確に理解できるように、説明の便宜及び簡潔のために、上記説明されたシステム、装置及びユニットの具体的な作動過程については、前述方法実施例の対応する過程を参照することができ、ここで繰り返して説明しない。
【０２２１】
本願のいくつかの実施例では、開示されたシステム、装置及び方法は、他の方式で実現できることが理解される。例えば、上記説明された装置実施例は例示的なものに過ぎず、例えば、前記ユニットの分割はロジック機能の分割のみであり、実際の実現時に他の分割方式でもよく、例えば、複数のユニット又は部品を組み合わせてもよく、又は他のシステムに集積してもよく、又は一部の特徴を無視してもよく、又は実行しなくてもよい。また、表示又は検討される相互結合又は直接結合又は通信接続は、あるインタフェース、装置又はユニットを介した間接結合又は通信接続であってもよく、電気的、機械的又は他の形態のものであってもよい。
【０２２２】
前記別々の部材として説明されるユニットは物理的に分離されてもよく、物理的に分離されなくてもよく、ユニットとして示される部材は物理ユニットであってもよく、物理ユニットでなくてもよく、即ち、１つの場所に位置してもよく、又は複数のネットワークユニットに分布してもよい。実際の需要に応じてそのうちの一部又は全部のユニットを選択して本実施例の技術案の目的を実現することができる。
【０２２３】
また、本願の各実施例の各機能ユニットは１つの処理ユニットに集積されてもよく、各ユニットは単独で物理的に存在してもよく、２つ以上のユニットは１つのユニットに集積されてもよい。
【０２２４】
前記機能はソフトウェア機能ユニットの形態で実現され、独立した製品として販売又は使用される場合、コンピュータ可読記憶媒体に記憶され得る。このような理解に基づいて、本願の技術案、又は従来技術に寄与する部分、又は当該技術案の一部はソフトウェア製品の形態で実施することができ、当該コンピュータソフトウェア製品は１つの記憶媒体に記憶され、１台のコンピュータ装置（パーソナルコンピュータ、サーバ、又はネットワーク装置等であってもよい）に本願の各実施例に記載の方法の全部又は一部のステップを実行させるための複数の命令を含む。前述の記憶媒体はＵディスク、モバイルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等の、プログラムコードを記憶できる様々な媒体を含む。
【０２２５】
以上は本願の具体的な実施形態に過ぎず、本願の保護範囲を制限するためのものではない。当業者が本願に開示される技術的範囲内において容易に想到し得る変更や置換は、いずれも本願の保護範囲内に含まれるべきである。従って、本願の保護範囲は特許請求の範囲に記載の保護範囲に準じるべきである。
【図１】
2021533606.tif 000003
【図２】
2021533606.tif 000004
【図３】
2021533606.tif 000005
【図４】
2021533606.tif 000006
【図５】
2021533606.tif 000007
【図６】
2021533606.tif 000008
【図７】
2021533606.tif 000009
【図８】
2021533606.tif 000010
【図９】
2021533606.tif 000011
【図１０】
2021533606.tif 000012
【国際調査報告】
2021533606.tif 000013
2021533606.tif 000014
2021533606.tif 000015
2021533606.tif 000016